(57)【要約】【課題】説明書等の収納部材を確実に適切な位置に固定でき、記録媒体を保管しておくことができ、必要十分な収納容積を確保できる説明書等の収納機構及びこれを有する画像形成装置等の提供。【解決手段】画像形成装置２０等の説明書等１１を収納する空間を形成する収納部材１２を有し、収納部材１２が画像形成装置２０等に対して着脱自在であり、また、収納部材１２が画像形成装置２０等と同梱される記録媒体を一体化可能であり、また、説明書等１１の収納容積が可変である、画像形成装置２０等の説明書等１１を画像形成装置２０等と一体的に収納するための説明書等の収納機構１０及びこれを備えた画像形成装置２０。【選択図】　　　図１
2004061957.tif 000002
【特許請求の範囲】
【請求項１】
画像形成装置等の説明書等を同画像形成装置等と一体的に収納するための説明書等の収納機構であって、画像形成装置等の説明書等を収納する空間を形成する収納部材を有する説明書等の収納機構において、
上記収納部材は、画像形成装置等に対して着脱自在であることを特徴とする説明書等の収納機構。
【請求項２】
請求項１記載の説明書等の収納機構において、上記収納部材が画像形成装置等から離脱することを防止する離脱防止手段を有することを特徴とする説明書等の収納機構。
【請求項３】
請求項１または２記載の説明書等の収納機構において、上記収納部材は、同画像形成装置等と同梱される記録媒体を一体化可能であることを特徴とする説明書等の収納機構。
【請求項４】
請求項３記載の説明書等の収納機構において、上記収納部材は、記録媒体自体と係合する記録媒体係合部を有することを特徴とする説明書等の収納機構。
【請求項５】
請求項３記載の説明書等の収納機構において、上記収納部材は、記録媒体を包装する包装部材と係合する包装部材係合部を有することを特徴とする説明書等の収納機構。
【請求項６】
請求項１ないし５の何れか１つに記載の説明書等の収納機構において、説明書等の収納容積が可変であることを特徴とする説明書等の収納機構。
【請求項７】
請求項６記載の説明書等の収納機構において、上記収納部材は互いに係合する第１の部材と第２の部材とを有し、第１の部材と第２の部材とを相対的に変位することにより説明書等の収納容積が可変であることを特徴とする説明書等の収納機構。
【請求項８】
請求項６または７記載の説明書等の収納機構において、上記収納部材自体の形状を変化することにより説明書等の収納容積が可変であることを特徴とする説明書等の収納機構。
【請求項９】
画像形成装置等の説明書等を同画像形成装置等と一体的に収納するための説明書等の収納機構であって、画像形成装置等の説明書等を収納する空間を形成する収納部材を有する説明書等の収納機構において、
上記収納部材は、同画像形成装置等と同梱される記録媒体を一体化可能であることを特徴とする説明書等の収納機構。
【請求項１０】
請求項９記載の説明書等の収納機構において、上記収納部材は、記録媒体自体と係合する記録媒体係合部を有することを特徴とする説明書等の収納機構。
【請求項１１】
請求項９記載の説明書等の収納機構において、上記収納部材は、記録媒体を包装する包装部材と係合する包装部材係合部を有することを特徴とする説明書等の収納機構。
【請求項１２】
請求項９ないし１１の何れか１つに記載の説明書等の収納機構において、説明書等の収納容積が可変であることを特徴とする説明書等の収納機構。
【請求項１３】
請求項１２記載の説明書等の収納機構において、上記収納部材は互いに係合する第１の部材と第２の部材とを有し、第１の部材と第２の部材とを相対的に変位することにより説明書等の収納容積が可変であることを特徴とする説明書等の収納機構。
【請求項１４】
請求項１２または１３記載の説明書等の収納機構において、上記収納部材自体の形状を変化することにより説明書等の収納容積が可変であることを特徴とする説明書等の収納機構。
【請求項１５】
画像形成装置等の説明書等を同画像形成装置等と一体的に収納するための説明書等の収納機構であって、画像形成装置等の説明書等を収納する空間を形成する収納部材を有する説明書等の収納機構において、
説明書等の収納容積が可変であることを特徴とする説明書等の収納機構。
【請求項１６】
請求項１５記載の説明書等の収納機構において、上記収納部材は互いに係合する第１の部材と第２の部材とを有し、第１の部材と第２の部材とを相対的に変位することにより説明書等の収納容積が可変であることを特徴とする説明書等の収納機構。
【請求項１７】
請求項１５または１６記載の説明書等の収納機構において、上記収納部材自体の形状を変化することにより説明書等の収納容積が可変であることを特徴とする説明書等の収納機構。
【請求項１８】
請求項１ないし１７の何れか１つに記載の説明書等の収納機構を有する画像形成装置等。
【発明の詳細な説明】
【０００１】
【発明の属する技術分野】
本発明は、機器の使用説明書、パソコンにインストールすべきドライバソフトを記録したＣＤ−ＲＯＭ、フロッピー（登録商標）ディスク等の記録媒体等の説明書等の収納機構、及び、この収納機構を備えた、複写機、ファクシミリ、プリンタ等の画像形成装置とかかる画像形成装置のフィニッシャー、別付け給紙装置、ＡＤＦ、ＦＡＸユニット等の周辺機器とを含む画像形成装置等に関する。
【０００２】
【従来の技術】
従来より、複写機、ファクシミリ、プリンタ等の画像形成装置とかかる画像形成装置のフィニッシャー、別付け給紙装置等の周辺機器とを含む画像形成装置等の機器の使用説明書は、購入した機器と同梱され機器本体の前面や側面に取り付ける収納部材に収容して保管し、必要に応じてユーザーが取り出して読む等、使用するようになっている。
【０００３】
【発明が解決しようとする課題】
しかし、図１４に示すように、従来の収納部材５１は、その画像形成装置等５３に対向する面５２に両面テープ等が一体化され、画像形成装置等５３に貼り付けられていただけであったため、その接着力にばらつきがあり、しばしば収納部材５１がずり落ちる等の不具合があった。また一度貼り付けたものを剥がすと接着力が低下するため、ずり落ちたものを再度固定することが困難であるほか、一度貼り付けた後に別の場所に付け替えることが困難であって、適切な位置への微調整さえも困難であるという不具合がある。
【０００４】
また、画像形成装置等の購入後、使用する前に、画像形成装置等の購入時に同梱された、ＣＤ−ＲＯＭ、フロッピー（登録商標）ディスク等の記録媒体に記録されたドライバソフトを、パソコンにインストールする必要がある場合がある。インストールは、ユーザーが増える度にそのパソコンに行う必要があり、インストールの際にかかる記録媒体を探さなくてはならず、記録媒体を紛失した場合には、画像形成装置等を動作させることができなくなる場合があるという不具合があるため、かかる記録媒体を、収納部材によって保管しておくことが好都合である。
【０００５】
さらに、画像形成装置には、フィニッシャー、別付け給紙装置等の周辺機器をオプションとして取りつける場合がある。かかる周辺機器についても、通常、説明書等が同梱されており、周辺機器の説明書等は画像形成装置の収納部材に保管することが一般的であるが、収納部材の容量によっては、周辺機器の説明書等が入らない場合がある。収納部材の容量を予め大きくしておくことも考えられるが、周辺機器を取りつけない場合には、収納部材が必要以上に場所を取って好ましくないという不具合がある。
【０００６】
本発明は、説明書等の収納部材を確実に適切な位置に固定でき、記録媒体を保管しておくことができ、必要十分な収納容積を確保できる説明書等の収納機構及びこれを有する画像形成装置等の提供を目的とする。
【０００７】
【課題を解決するための手段】
上記目的を達成するため、請求項１記載の発明は、画像形成装置等の説明書等を同画像形成装置等と一体的に収納するための説明書等の収納機構であって、画像形成装置等の説明書等を収納する空間を形成する収納部材を有する説明書等の収納機構において、この収納部材は、画像形成装置等に対して着脱自在であることを特徴とする。
【０００８】
請求項２記載の発明は、請求項１記載の説明書等の収納機構において、上記収納部材が画像形成装置等から離脱することを防止する離脱防止手段を有することを特徴とする。
【０００９】
請求項３記載の発明は、請求項１または２記載の説明書等の収納機構において、上記収納部材は、同画像形成装置等と同梱される記録媒体を一体化可能であることを特徴とする。
【００１０】
請求項４記載の発明は、請求項３記載の説明書等の収納機構において、上記収納部材は、記録媒体自体と係合する記録媒体係合部を有することを特徴とする。
【００１１】
請求項５記載の発明は、請求項３記載の説明書等の収納機構において、上記収納部材は、記録媒体を包装する包装部材と係合する包装部材係合部を有することを特徴とする。
【００１２】
請求項６記載の発明は、請求項１ないし５の何れか１つに記載の説明書等の収納機構において、説明書等の収納容積が可変であることを特徴とする。
【００１３】
請求項７記載の発明は、請求項６記載の説明書等の収納機構において、上記収納部材は互いに係合する第１の部材と第２の部材とを有し、第１の部材と第２の部材とを相対的に変位することにより説明書等の収納容積が可変であることを特徴とする。
【００１４】
請求項８記載の発明は、請求項６または７記載の説明書等の収納機構において、上記収納部材自体の形状を変化することにより説明書等の収納容積が可変であることを特徴とする。
【００１５】
請求項９記載の発明は、画像形成装置等の説明書等を同画像形成装置等と一体的に収納するための説明書等の収納機構であって、画像形成装置等の説明書等を収納する空間を形成する収納部材を有する説明書等の収納機構において、この収納部材は、同画像形成装置等と同梱される記録媒体を一体化可能であることを特徴とする。
【００１６】
請求項１０記載の発明は、請求項９記載の説明書等の収納機構において、上記収納部材は、記録媒体自体と係合する記録媒体係合部を有することを特徴とする。
【００１７】
請求項１１記載の発明は、請求項９記載の説明書等の収納機構において、上記収納部材は、記録媒体を包装する包装部材と係合する包装部材係合部を有することを特徴とする。
【００１８】
請求項１２記載の発明は、請求項９ないし１１の何れか１つに記載の説明書等の収納機構において、説明書等の収納容積が可変であることを特徴とする。
【００１９】
請求項１３記載の発明は、請求項１２記載の説明書等の収納機構において、上記収納部材は互いに係合する第１の部材と第２の部材とを有し、第１の部材と第２の部材とを相対的に変位することにより説明書等の収納容積が可変であることを特徴とする。
【００２０】
請求項１４記載の発明は、請求項１２または１３記載の説明書等の収納機構において、上記収納部材自体の形状を変化することにより説明書等の収納容積が可変であることを特徴とする。
【００２１】
請求項１５記載の発明は、画像形成装置等の説明書等を同画像形成装置等と一体的に収納するための説明書等の収納機構であって、画像形成装置等の説明書等を収納する空間を形成する収納部材を有する説明書等の収納機構において、説明書等の収納容積が可変であることを特徴とする。
【００２２】
請求項１６記載の発明は、請求項１５記載の説明書等の収納機構において、上記収納部材は互いに係合する第１の部材と第２の部材とを有し、第１の部材と第２の部材とを相対的に変位することにより説明書等の収納容積が可変であることを特徴とする。
【００２３】
請求項１７記載の発明は、請求項１５または１６記載の説明書等の収納機構において、上記収納部材自体の形状を変化することにより説明書等の収納容積が可変であることを特徴とする。
【００２４】
請求項１８記載の発明は、請求項１ないし１７の何れか１つに記載の説明書等の収納機構を有する画像形成装置等にある。
【００２５】
【実施例】
図１に本発明を適用した説明書等の収納機構及びこの説明書等の収納機構を有する画像形成装置等の概略を示す。なお画像形成装置等とは複写機、ファクシミリ、プリンタ等周知の画像形成装置の他、かかる画像形成装置のフィニッシャー、別付け給紙装置等の周辺機器を含むものであり、本発明を適用した説明書等の収納機構を用いることができるものであればどのようなものでも良い。本実施例において、画像形成装置は複写機として説明している。また、説明書等とは、画像形成装置等の使用説明書、パソコンにインストールすべきドライバソフトを記録したＣＤ−ＲＯＭ、フロッピー（登録商標）ディスク等の記録媒体等をいう。
【００２６】
画像形成装置２０は、原稿画像に応じて画像を形成するものであって、原稿画像を読み取る、画像形成装置２０上部に位置する読み取り部２１と、読み取り部２１の前側に位置する操作部２２とを有しており、内部には、図示を省略する、作像ユニットとしての作像装置、作像装置に対向して配置された転写ユニットとしての転写装置、作像装置と転写装置とが対向する転写領域に向けて用紙を供給する記録媒体供給手段としての給紙カセット、給紙カセットから搬送されてきた記録媒体を作像装置による作像のタイミングにあわせて供給するレジストローラを備えた給紙ユニット、転写領域においてトナー像を転写された記録媒体を搬送する搬送ベルト、搬送ベルトによって搬送されてきた記録媒体に、記録媒体上に担持されたトナー像を定着する定着手段としての定着装置等を有している。
【００２７】
画像形成装置２０はまた、画像形成装置２０の説明書等１１を画像形成装置２０と一体的に収納するための説明書等の収納機構（以下、「収納機構」ともいう。）１０を有している。収納機構１０は、画像形成装置２０の側面２３に位置している。収納機構１０は、説明書等１１を収納する空間を形成する、画像形成装置２０本体に対して着脱自在の収納部材１２を有している。収納部材１２は画像形成装置２０の購入時に画像形成装置２０と同梱されているものである。また収納機構１０は、収納部材１２の縁部１３と係合する、側面２３に突設された複数の差し込み突起１４を有している。
【００２８】
収納部材１２を差し込み突起１４の上方から、側面２３に沿って下方にスライドさせると、側縁１３が差し込み突起１４に係合する。差し込み突起１４のうち下方に位置する突起１４ａは、縁部１３の下部を支持し、収納部材１２がそれ以上下方に移動することを規制する。したがって、収納部材１２は説明書等１１を収納するに適した定位置で固定され、固定した状態において収納部材１２の内面及び側面２３によって説明書等１１を収納する空間が形成される。この空間に説明書等１１を収納、保管しておくことが可能となり、必要に応じてユーザーが取り出して読む等、使用することができるようになっている。
【００２９】
図２に示すように、収納部材１２が差し込み突起１４から抜けて画像形成装置２０本体から離脱することを防止するべく、離脱防止手段１７を設けることが望ましい。離脱防止手段１７は、差し込み突起１４のうち上方に位置する突起１４ｂに形成された凸部１７ａと、上述した収納部材１２の定位置において凸部１７ａに係合する、側縁１３に設けられた凹部１７ｂとを有している。これにより、収納部材１２は画像形成装置２０本体に対して着脱自在であるが、収納部材１２が定位置を占める状態において、不用意に画像形成装置２０本体から離脱することを防止できる。なお、離脱防止手段１７は突起１４ａに設けても良い。
【００３０】
図３に示すように、画像形成装置２０には、周辺機器である別付け給紙装置２４をオプションとして取りつける場合がある。別付け給紙装置２４はこの例においては画像形成装置２０の下方に取り付けている。図３に示すように、収納機構１０は、別付け給紙装置２４に備えられていても良い。この場合、収納部材１２は別付け給紙装置２４と同梱され、別付け給紙装置２４のみの説明書等１１を収納するようになっていても良いが、画像形成装置２０に同梱された収納部材１２を使用して、画像形成装置２０の説明書等１１と別付け給紙装置２４の説明書等とを一緒に、別付け給紙装置２４と一体的に収納するようにしても良い。画像形成装置２０と別付け給紙装置２４との収納部材１２を共通化する場合には別付け給紙装置２４に収納部材１２を同梱する必要がなく、部品点数の削減ができる。なお、図３において画像形成装置２０の差し込み突起１４の図示は省略している。
【００３１】
図４に示すように、画像形成装置２０には、別付け給紙装置２４の他、フィニッシャー２５をオプションとして取りつける場合がある。なお、フィニッシャー２５は別付け給紙装置２４を取りつけない場合においてもオプションとすることができるものである。フィニッシャー２５はこの例においては画像形成装置２０の側方に取り付けている。図４に示すように、収納機構１０は、フィニッシャー２５に備えられていても良い。収納機構１０はフィニッシャー２５の背面に位置している。
【００３２】
収納部材１２はフィニッシャー２５と同梱され、フィニッシャー２５のみの説明書等１１を収納するようになっていても良いが、画像形成装置２０に同梱された収納部材１２を使用して、画像形成装置２０の説明書等１１と別付けフィニッシャー２５の説明書等とを一緒に、フィニッシャー２５と一体的に収納するようにしても良い。画像形成装置２０と別付け給紙装置２４との収納部材１２を共通化する場合には別付け給紙装置２４に収納部材１２を同梱する必要がなく、部品点数の削減ができる。
【００３３】
さらに、収納部材１２は、画像形成装置２０の収納部材１２との共通化とともに、あるいはこれに代えて、別付け給紙装置２４の収納部材１２と共通化することもでき、この場合は別付け給紙装置２４の説明書等１１をフィニッシャー２５と一体的に収納することとなる。なお、図４においては収納機構１０をフィニッシャー２５の背面に配設しているが、収納機構１０はこれに限らず、可能であれば、前面、側面、上面等、どのような位置に配設しても良く、このことは、収納機構１０を画像形成装置２０、別付け給紙装置２４に配設する場合においても同様である。また、オプションとする周辺機器としては他にＡＤＦ、ＦＡＸユニット等があり、この場合にも同様に収納機構の配設、収納部材の共通化を行うことができる。
【００３４】
図５に示すように、収納部材１２は、複数の引っ掛け部１５を有していても良く、この場合には側面２３に各引っ掛け部１５に対応した孔１６を設け、これにより収納機構１０を構成する。そして、引っ掛け部１５を孔１６に引っ掛けることにより、収納部材１２は説明書等１１を収納するに適した定位置で固定され、固定した状態において収納部材１２の内面及び側面２３によって説明書等１１を収納する空間が形成され、この空間に説明書等１１を収納、保管しておくことが可能となり、必要に応じてユーザーが取り出して読む等、使用することができるようになる。この構成は、図３ないし図４に示した例その他のオプションを取りつけた場合において同様に適用することができる。
【００３５】
上述のように、収納機構１０は画像形成装置２０のみならず、周辺機器を含めた画像形成装置等に適用することができ、収納機構１０を画像形成装置等に適用した場合には、図６に示すように、画像形成装置２０に通常同梱されている説明書等１１のほか、別付け給紙装置２４、フィニッシャー２５等の周辺機器に通常同梱されている説明書等１１の、複数の説明書等１１を、収納部材１２によって一体的に収納することとなる場合がある。この場合、収納部材１２の容量が小さいと、周辺機器の説明書等１１が入らないことがある。このような場合、収納部材１２の容量を予め大きくしておくことも考えられるが、周辺機器を取りつけない場合には、収納部材１２が必要以上に場所を取って好ましくない。
【００３６】
そこで、収納機構１０においては、説明書等１１の収納容積、すなわち収納部材１２の内面及び側面２３によって説明書等１１を収納する空間の容積を可変とすることができる。この場合、収納部材１２は、図７に示すように、第１の部材としてのカバー部３１と、第２の部材としてのホルダ部３２とを有しており、カバー部３１とホルダ部３２とを相対的に矢印Ａ方向に変位することで収納容積を可変とするものである。ホルダ部３２は上述した側縁１３を有しているが、引っ掛け部１５を有するタイプであっても良い。
【００３７】
カバー部３１は、先端に返し３３を有する板ばね部３４と、両端部においてＡ方向に複数、具体的には２つ形成された凹部３５とを有している。ホルダ部３２は、凹部３５に嵌入してカバー部３１とホルダ部３２との相対的な位置決めを行う突部３６と、返し３３が係合してカバー部３１がホルダ部３２から離脱することを防止する孔３７とを有している。
【００３８】
図８、図９に、カバー部３１とホルダ部３２とを嵌め合わせた状態を示す。図８は収納容積を小さくすべく、突部３６をＡ方向において画像形成装置２０等の本体から遠いほうの凹部３５に嵌入した状態を示しており、図９は収納容積を大きくすべく、突部３６をＡ方向において画像形成装置２０等の本体から近いほうの凹部３５に嵌入した状態を示している。図９に示す状態においては、返し３３が孔３７に係合して、カバー部３１がホルダ部３２から離脱することを防止している。
【００３９】
このように、カバー部３１とホルダ部３２とを相対的にＡ方向に変位して収納容積を可変とすることで、収納容積を、容易に、説明書１１等を収納するに必要十分な大きさとすることができ、例えば、画像形成装置２０のみの説明書等１１を収納する場合には図８に示す状態とし、画像形成装置２０および別付け給紙装置２４の説明書等１１を収納する場合には図９に示す状態とすることで、収納部材１２が必要以上に場所を取ることを防止できる。凹部３５の位置は、収納すべき説明書等１１の厚さ等に応じて決定することができ、また、凹部３５の数は３つ以上としても良い。
【００４０】
図１０に示すように、説明書等１１の収納容積を可変とする構成としては、収納部材１２自体の形状を変化するものであっても良い。図１０に示す例では、収納部材１２を単一の部材として蛇腹形状３８を設け、Ａ方向に形状を変化させることで収納容積を可変としている。図７ないし図１０に示した、説明書等１１の収納容積を可変とする構成は、図１ないし図５に沿って説明した構成に適宜適用することができるものである。
【００４１】
上述したように、説明書等１１には、画像形成装置等の同梱され、画像形成装置等の使用説明書のように通常冊子の形状をなすものの他、パソコンにインストールすべきドライバソフトを記録したＣＤ−ＲＯＭ、フロッピー（登録商標）ディスク等の記録媒体が含まれ、これらは収納機構１０によって形成される、収納のための、上述の空間に収納される。かかる説明書等１１のうち、ＣＤ−ＲＯＭ、フロッピー（登録商標）ディスク等の記録媒体については、画像形成装置等の使用前に、これらに記録されたドライバソフトを、パソコンにインストールする必要がある場合がある。インストールは、ユーザーが増える度にそのパソコンに行う必要があるため冊子形状の説明書等１１と共に収納しておくものであるが、記録媒体を紛失した場合には、画像形成装置等を動作させることができなくなる場合があるため、紛失は避けなければならず、また必要なときに速やかに発見できる状態としておくことが望ましい。
【００４２】
そこで、収納機構１０においては、収納部材１２が、かかる記録媒体を、冊子状の説明書等１１と区別した状態で一体化可能としている。以下、記録媒体をＣＤ−ＲＯＭとして説明するが、記録媒体はＣＤ−ＲＯＭに限らず、フロッピー（登録商標）ディスク等であっても良く、以下説明するＣＤ−ＲＯＭに関する構成と同様の構成を適用することができる。図１１に示す例において、収納部材１２は、その外面に、記録媒体４１を保持し、一体化して収納するようになっている。具体的には、収納部材１２の外側には、記録媒体４１の形状である円形に対応した円形の凹部４２と、記録媒体４１の中心の孔４４に嵌入し記録媒体４１自体と係合する記録媒体係合部としての突部４３とが形成されている。よって記録媒体４１は、突部４２を孔４４に嵌めこむことで収納部材４２の外側に係止され、記録媒体４１の有無が明かな状態で保管される。
【００４３】
図１２に示すように、記録媒体４１は、収納部材１２の内面に、保持され、一体化されて収納されるようしても良い。収納部材１２の内側には、記録媒体４１の形状である円形に対応した円形の凹部４２と、記録媒体４１の中心の孔４４に嵌入し記録媒体４１自体と係合する記録媒体係合部としての突部４３とが形成されている。よって記録媒体４１は突部４２を孔４４に嵌めこむことで収納部材４２の外側に係止され、記録媒体４１にホコリ等の汚れが付き難い状態で保管される。
【００４４】
図１３に示すように、記録媒体４１へのホコリの付着をさらに良好に防止するため、収納部材１２は、記録媒体４１が、記録媒体４１を包装する包装部材である不織布４５に包装された状態で、記録媒体４１を保持し、一体化して収納するものであっても良い。不織布４５は通常、記録媒体４１と共に画像形成装置２０等と同梱されるものである。包装部材は不織布４５に限らず、他の不織物、その他、紙、ビニール製であってもよい。収納部材１２の外側には、不織布４５の形状に対応した位置に、不織布４５と係合する包装部材係合部としての突起４６が突設されている。
【００４５】
不織布４５を突起４６の上方からスライドさせると、不織布４５が突起４６に係合する。突起４６のうち下方に位置する突起４６ａは、不織布４５の下部を支持し、不織布４５がそれ以上下方に移動することを規制する。したがって、不織布４５は定位置で支持される。よって記録媒体４１は不織布４５により保護され、ホコリ等による汚れが良好に防止され、なおかつ記録媒体４１の有無が明かな状態で、収納部材１２の外側に係止され、保管される。また、必要に応じてユーザーが不織布４５を収納部材１２から取り外し、記録媒体４１を不織布４５から取り出してインストールに使用することができるようになっている。
【００４６】
なお、突起４６を収納部材１２の内側に設け、記録媒体４１を不織布４５とともに収納部材１２の内側に収納するようにしても良い。また、図１１ないし図１３に沿って説明した構成は、上述した側縁１３を有しているが、引っ掛け部１５を有するタイプであっても良く、図１ないし図５に沿って説明した構成や図７ないし図１０に沿って説明した構成に適宜適用することができるものである。
以上、本発明の実施例を説明したが、本発明にかかる説明書等の収納機構は画像形成装置等のほか、家電等の機器にも適用することが可能である。
【００４７】
【発明の効果】
本発明は、画像形成装置等の説明書等を同画像形成装置等と一体的に収納するための説明書等の収納機構であって、画像形成装置等の説明書等を収納する空間を形成する収納部材を有する説明書等の収納機構において、この収納部材が、画像形成装置等に対して着脱自在であるので、従来の収納部材が両面テープ等により画像形成装置に貼り付けられていただけであったために生じる、接着力のばらつきによりしばしば収納部材がずり落ち、また一度貼り付けたものを剥がすと接着力が低下するため、ずり落ちたものを再度固定することが困難であり、一度貼り付けた後に別の場所に付け替えることが困難り適切な位置への微調整さえも困難であるという不具合を防止し、説明書等の収納部材を確実に適切な位置に固定でき、収納部材の取り外しが容易であるから後に周辺機器を買い足した場合にも容易に付け替えることが可能であり、接着テープ等の異種材料がついておらず再生材としても利用できる説明書等の収納機構を提供することができる。
【００４８】
収納部材が画像形成装置等から離脱することを防止する離脱防止手段を有することとすれば、収納部材が画像形成装置等から容易に離脱することを防止できるから、収納部材が画像形成装置等から離脱した場合におけるユーザーによる収納部材の装着および説明書等の整理等の作業を解消することができる説明書等の収納機構を提供することができる。
【００４９】
収納部材が、画像形成装置等と同梱される記録媒体を一体化可能であることとすれば、記録媒体を、収納部材によって保管しておくことができるので、画像形成装置等の購入後、使用する前に、画像形成装置等の購入時に同梱された、ＣＤ−ＲＯＭ、フロッピー（登録商標）ディスク等の記録媒体に記録されたドライバソフトを、パソコンにインストールする必要がある場合において、ユーザーが増えインストールする必要が生じた場合でも記録媒体を容易に発見でき、また記録媒体の紛失を防止できるから画像形成装置等を動作させることができなくなる場合があるという不具合を回避できる説明書等の収納機構を提供することができる。
【００５０】
収納部材が、記録媒体自体と係合する記録媒体係合部を有することとすれば、記録媒体の取り出し、装着を容易に行うことができ、ユーザーに使いやすい説明書等の収納機構を提供することができる。
【００５１】
収納部材が、記録媒体を包装する包装部材と係合する包装部材係合部を有することとすれば、記録媒体の取り出し、装着を比較的容易に行うことができるとともに、記録媒体の汚れを防止した状態で保管することが可能であって記録媒体の使用時にこれを洗浄する必要がなく、ユーザーに使いやすい説明書等の収納機構を提供することができる。
【００５２】
説明書等の収納容積が可変であることとすれば、画像形成装置にフィニッシャー、別付け給紙装置等の周辺機器をオプションとして取りつける場合、周辺機器に同梱された説明書等を保管する際に、収納部材の容量によっては、周辺機器の説明書等が入らない場合があり、また収納部材の容量を予め大きくしておくと周辺機器を取りつけない場合に収納部材が必要以上に場所を取って好ましくないという不具合を防止して、必要十分な収納容積を確保できる説明書等の収納機構を提供することができる。
【００５３】
収納部材が互いに係合する第１の部材と第２の部材とを有し、第１の部材と第２の部材とを相対的に変位することにより説明書等の収納容積が可変であることとすれば、第１の部材と第２の部材とを相対的に変位することにより必要十分な収納容積を確保できる説明書等の収納機構を提供することができる。
【００５４】
収納部材自体の形状を変化することにより説明書等の収納容積が可変であることとすれば、比較的簡易な構成により必要十分な収納容積を確保できる説明書等の収納機構を提供することができる。
【００５５】
本発明は、画像形成装置等の説明書等を同画像形成装置等と一体的に収納するための説明書等の収納機構であって、画像形成装置等の説明書等を収納する空間を形成する収納部材を有する説明書等の収納機構において、この収納部材が、同画像形成装置等と同梱される記録媒体を一体化可能であるので、記録媒体を、収納部材によって保管しておくことができるので、画像形成装置等の購入後、使用する前に、画像形成装置等の購入時に同梱された、ＣＤ−ＲＯＭ、フロッピー（登録商標）ディスク等の記録媒体に記録されたドライバソフトを、パソコンにインストールする必要がある場合において、ユーザーが増えインストールする必要が生じた場合でも記録媒体を容易に発見でき、また記録媒体の紛失を防止できるから画像形成装置等を動作させることができなくなる場合があるという不具合を回避できる説明書等の収納機構を提供することができる。
【００５６】
本発明は、画像形成装置等の説明書等を同画像形成装置等と一体的に収納するための説明書等の収納機構であって、画像形成装置等の説明書等を収納する空間を形成する収納部材を有する説明書等の収納機構において、説明書等の収納容積が可変であるので、画像形成装置にフィニッシャー、別付け給紙装置等の周辺機器をオプションとして取りつける場合、周辺機器に同梱された説明書等を保管する際に、収納部材の容量によっては、周辺機器の説明書等が入らない場合があり、また収納部材の容量を予め大きくしておくと周辺機器を取りつけない場合に収納部材が必要以上に場所を取って好ましくないという不具合を防止して、必要十分な収納容積を確保できる説明書等の収納機構を提供することができる。
【００５７】
本発明は、請求項１ないし１７の何れか１つに記載の説明書等の収納機構を有する画像形成装置等にあるので、上述の各効果を奏する説明書等の収納機構を有し、説明書等の収納部材を確実に適切な位置に固定され、収納部材の取り外しが容易であるから後に周辺機器を買い足した場合にも容易に付け替えることが可能であり、接着テープ等の異種材料がついておらず再生材としても利用できるとともに、記録媒体を保管しておくことができるから、記録媒体に記録されたドライバソフトを、パソコンにインストールする必要がある場合において、ユーザーが増えインストールする必要が生じた場合でも記録媒体を容易に発見でき、また記録媒体の紛失を防止できるから動作を確実に行うことができるとともに、必要十分な収納容積を確保できるから、ユーザーにとって使い勝手の良い画像形成装置等を提供することができる。
【図面の簡単な説明】
【図１】本発明を適用した説明書等の収納機構及びこの説明書等の収納機構を備えた画像形成装置を示す斜視図である。
【図２】図２に示した説明書等の収納機構の別の構成例を示す斜視図である。
【図３】本発明を適用した説明書等の収納機構及びこの説明書等の収納機構を備えた画像形成装置等を示す斜視図である。
【図４】本発明を適用した説明書等の収納機構及びこの説明書等の収納機構を備えた画像形成装置等を示す斜視図である。
【図５】図１ないし図４に示した説明書等の収納機構の別の構成例を示す斜視図である。
【図６】本発明を適用した説明書等の収納機構により複数の説明書等を収納する場合を示す斜視図である。
【図７】図１ないし図６に示した説明書等の収納機構の別の構成例を示す斜視図である。
【図８】図７に示した説明書等の収納機構の使用態様を示す斜視図である。
【図９】図７に示した説明書等の収納機構の別の使用態様を示す斜視図である。
【図１０】図１ないし図９に示した説明書等の収納機構の別の構成例を示す斜視図である。
【図１１】図１ないし図１０に示した説明書等の収納機構の別の構成例を示す斜視図である。
【図１２】図１ないし図１１に示した説明書等の収納機構の別の構成例を示す斜視図である。
【図１３】図１ないし図１２に示した説明書等の収納機構の別の構成例を示す斜視図である。
【図１４】従来の説明書を収納する構成を示す斜視図である。
【符号の説明】
１０　　説明書等の収納機構
１１　　画像形成装置等の説明書等
１２　　収納部材
１７　　離脱防止手段
２０　　画像形成装置
２０、２４、２５　　画像形成装置等
３１　　第１の部材
３２　　第２の部材
４１　　記録媒体
４３　　記録媒体係合部
４６　　包装部材係合部
【図１】
2004061957.tif 000003
【図２】
2004061957.tif 000004
【図３】
2004061957.tif 000005
【図４】
2004061957.tif 000006
【図５】
2004061957.tif 000007
【図６】
2004061957.tif 000008
【図７】
2004061957.tif 000009
【図８】
2004061957.tif 000010
【図９】
2004061957.tif 000011
【図１０】
2004061957.tif 000012
【図１１】
2004061957.tif 000013
【図１２】
2004061957.tif 000014
【図１３】
2004061957.tif 000015
【図１４】
2004061957.tif 000016